(57)【要約】  幾つかのはしご組立部品（５）を具備する折り畳み式はしご（１）用のロッキング装置であって、はしご組立部品は各々、互いに平行に置かれ且つ段により一端で相互接続され、Ｕ形のはしご組立部品を形成する二つのはしご柵（２，３）を具備し、その場合、はしご組立部品（５）は各々、下部はしご組立部品の中に伸縮式に挿入され、折り畳み式はしご（１）を形成し、その場合、ダンパ（２２）は、はしご柵（２，３）の下端部に設けられ、その場合、ロッキング装置は、各はしご柵（２，３）に設けられ、ロッキング装置の単一のアクチュエータ対を、いずれかのはしご組立部品（５）に置くことができ且つさらにはしご全体（１）を折り畳むことができる、保持装置（２０，４１）を具備する。
2008542593.tif 000002
【特許請求の範囲】
【請求項１】
幾つかのはしご組立部品（５、５ａ−５ｃ）を具備する折り畳み式はしご（１）用のロッキング装置であって、
はしご組立部品は各々、互いに平行に置かれ且つ段(７−１４)により一端で相互接続され、Ｕ形のはしご組立部品を形成する二つのはしご柵（２，３）を具備し、はしご組立部品（５）は各々、下側のはしご組立部品（５）の中に伸縮式に挿入されて、折り畳み式はしご（１）を形成し、ダンパ（２２）が、前記はしご柵（２，３）の下端部に設けられていて、
前記ロッキング装置は、各はしご柵（２，３）に設けられ前記はしご柵（２，３）の上端部に隣接した保持装置（２０，４１）と、前記はしご柵（２，３）の下端部に隣接したロッキング孔（３４）を具備し、前記保持装置（２０，４１）は各々ロッキングピン（２４）を具備し、前記ロッキングピン（２４）は延長された位置に向かってバネで付勢され、その上方に配置されたはしご組立部品の前記はしご柵（２，３）に設けられた前記ロッキング孔（３４）に係合するものにおいて、
前記ロッキング装置はさらに、前記保持装置（２０，４１）を解放するためのアクチュエータ(３０、３２、４０)を具備し、前記アクチュエータ（３０、３２、４０）は少なくとも一つのはしご組立部品に置かれていて、
前記はしご組立部品（５、５ａ−５ｃ）の前記ダンパ（２２）の各々は、面取りをした表面（２３）を備え、上方に配置されたはしご組立部品（５，５ａ）が解放され且つ降下されるとき、前記ダンパ(２２)の前記面取りをした表面（２３）は、前記はしご組立部品（５、５ａ−５ｃ）の前記ロッキングピン（２４）と協働し、前記はしご組立部品（５、５ｃ）の前記ロッキングピン（２４）を前記延長され且つロックされた位置から中間位置へ退避させるように配置されていて、
前記ロッキングピン（２４）は、面取りをした端部（３３）を備えていて、前記はしご組立部品（５、５ａ）のロッキングピン（２４）の面取りをした表面（３３）は、前記ロッキングピン（２４）を、前記中間位置からさらに引き込ませ、前記ロッキング孔（３４）から完全に引き込ませることを可能にし、また前記解放され上方に配置されたはしご組立部品（５、５ａ）の下方に配置された前記はしご組立部品（５、５ｂ）を解放し、解放されたはしご組立部品（５、５ａ）の下方に配置された全てのはしご組立部品（５）の折り畳み又は降下を可能にすることを特徴とする、
ロッキング装置。
【請求項２】
第一のアクチュエータ対（３０）が、上から二番目の段（１３）の前方側に設けられていることを特徴とする、請求項１に記載のロッキング装置。
【請求項３】
第一のアクチュエータ対（３０）が、上から二番目の段（１３）の前方側に設けられ、
第二のアクチュエータ対（３２）が、上から二番目の段（１３）と下から二番目の段（７）との間に配置された段の前方側に設けられることを特徴とする、
請求項１に記載のロッキング装置。
【請求項４】
前記第二のアクチュエータ対（３２）は、折り畳み式はしご（１）の下方部分の降下を可能にし、前記第一のアクチュエータ対（３０）は、前記折り畳み式はしご（１）の上方部分の降下を可能にすることを特徴とする、請求項３に記載のロッキング装置。
【請求項５】
前記保持装置（２０）はさらにボタン(３０，３２)を具備し、前記ボタン(３０，３２)は、前記ロッキングピン（２４）と協働し、且つ、前記段（７−１３）の前方側の凹所（２９）を通って突出し、また、前記ボタン（３０，３２）が前記ロッキングピン（２４）をその延伸位置から引き込ませるとき、前記保持装置（２０）を解放するように配置されている、
ことを特徴とする、請求項１−４のいずれか１項に記載のロッキング装置。
【請求項６】
前記アクチュエータ（４０）は、前記折り畳み式はしご組立部品のいずれか又は全てに設けられ、前記アクチュエータ（４２）は、前記はしごの折り畳みを可能にすることを特徴とする、請求項１に記載のロッキング装置。
【請求項７】
前記保持装置（４１）はさらに、前記ロッキングピン（２４）と協働し且つ前記段（６−１３）の下側の凹所（４３）を通って突出するレバー(４０)を具備し、また前記はしご組立部品の段が、下方に配置された前記段に接触して折り畳まれ、前記レバー（４０）が前記段に押し込まれ且つ前記ロッキングピン（２４）をその延伸位置から引き込ませるとき、前記レバーが前記保持装置（４１）を解放するように配置されている、
ことを特徴とする請求項６に記載のロッキング装置。
【請求項８】
アクチュエータ対（４０）が作動されると作動されたアクチュエータ（４０）の下方に配置された折り畳み式はしご（１）の一部の降下を可能にし、
前記作動されたアクチュエータ対（４０）は、前記作動されたアクチュエータ（４０）の上方に配置された前記折り畳み式はしご組立部品の降下を可能にする、
ことを特徴とする請求項６又は７に記載のロッキング装置。
【請求項９】
折り畳み式はしご（１）であって、
幾つかのはしご組立部品（５）を具備し、その各はしご組立部品（５）が互いに平行に置かれ且つ一端で段（７−１３）により相互接続されＵ形のはしご組立部品（５）を形成する二つのはしご柵（２，３）を具備しており；各はしご組立部品（５）が、下側のはしご組立部品の中に伸縮式に挿入され、少なくとも三つのはしご組立部品（５）を具備する、折り畳み式はしご（１）を形成する、するものにおいて、
請求項１−８のいずれか１項に記載の前記ロッキング装置（３１、４１）を含む、
ことを特徴とする折り畳み式はしご（１）。
【請求項１０】
アクチュエータ（３０，３２）を設けられていない段（７−１３）と協働するが、折り畳み式であるはしご組立部品（５）が、前記はしご組立部品の保持装置（２０）が、ロックされた位置にあるか否かを視認するためのロッキング表示器（３１）を備えている、ことを特徴とする、請求項９に記載の折り畳み式はしご（１）。
【請求項１１】
段（７−１３）と結合される前記はしご組立部品（５）が、前記はしご組立部品の保持装置（４１）がロックされた位置にあるか否かが視認するためのロッキング表示器（４２）を備えており、ことを特徴とする請求項９に記載の折り畳み式はしご（１）。
【請求項１２】
前記ロッキング表示器（３１，４２）は、前記段（７−１３）の前方で視認できる二つの領域を含み、それらは、前記ロッキングピン（２４）が、前記個々のはしご柵（２，３）から引き抜かれるとき視認できる好ましくは赤で着色された第一領域と、前記ロッキング位置にあるとき視認できる好ましくは緑で着色された第二領域である、
ことを特徴とする請求項１０又は１１に記載の折り畳み式はしご（１）。
【請求項１３】
前記ロッキング表示器（３１，４２）は、前記段の内側に設けられ且つ前記延長された位置から前記退避させた位置への前記ロッキングピン（２４）の移動とその逆移動に追随する小プレートを具備し、前記ロッキング表示器（３１，４２）は、前記段（７−１３）の前方の細長い開口又は凹所を通して視認できる、
ことを特徴とする、請求項１２に記載の折り畳み式はしご（１）。
【請求項１４】
前記ロッキング表示器は、
前記ロッキングピン（２４）が前記ロッキング位置にあるときには前記ロッキングピン（２４）の後方部分が視認でき、また前記ロッキングピン（２４）が前記ロッキング位置から退避させられる又は作動されないときには前記ロッキングピン（２４）の前方部分が視認できる、前記ロッキングピン（２４）の着色された部分を具備する、ことを特徴とする請求項１２に記載の折り畳み式はしご（１）。
【請求項１５】
第一と第二はしご脚部を具備する折り畳み式脚立であって、
前記脚部は、一端で互いに蝶番接続され、前記はしご脚部の各々は、各々が、互いに平行に置かれ且つ段により一端で相互接続され、Ｕ形のはしご組立部品（５）を形成する二つのはしご柵（２，３）を具備し；各々が、下部はしご組立部品（５）の中に伸縮式に挿入され、少なくとも三つのはしご組立部品（５）を具備する折り畳み式脚立を形成する、幾つかのはしご組立部品（５）を具備するものにおいて、
請求項１−８のいずれか１項に記載の前記ロッキング装置を含むことを特徴とする、
折り畳み式脚立。
【請求項１６】
前記はしご組立部品（５）は、ロッキング表示器（４２）を備えており、前記はしご組立部品（５）の保持装置（４１）がロックされた位置にあるかないかが視認できるようにされている、ことを特徴とする請求項１４に記載の折り畳み式脚立。
【発明の詳細な説明】
【技術分野】
【０００１】
本発明は、互いに伸縮自在に挿入されているＵ形のはしご組立部品を具備するタイプの伸縮式又は折り畳み式のはしご又は脚立に関し、詳細にはそのようなはしご用のロッキング装置に関する。
【背景技術】
【０００２】
保管と移送用にはしごをより小さくするために、折り畳み可能且つ延長可能なはしご組立部品を有するはしごが使用される。
【０００３】
特許文献１には、段により相互接続された組立部品に分割されたはしご柵を具備する折り畳み式はしごが記載されている。各はしご組立部品には、段が下方の段に到達するとき、上方はしご組立部品を自動的に解放するよう設計された、保持又はロッキング装置が設けられる。これは、最下部のはしご組立部品の解放に続いて、次のはしご組立部品が自動的に解放されて、はしごが折り畳むことを意味する。
【０００４】
特許文献２には、保持又はロッキング装置を各はしご組立部品に具備する別の折り畳み式はしごが記載されている。ロッキング装置は、はしご組立部品の両側に設けられ、またはしご組立部品の両側で手動且つ個別に解放され、はしご組立部品を折り畳むよう設計される。すべてのはしご組立部品のロッキング装置は、解放され完全にはしごを折り畳む必要がある。
【０００５】
特許文献１に記載されたはしごに伴う欠点の一つは、ロッキング装置が第二の最下部はしご組立部品に配置されることであり、それははしごを解放することをむしろ厄介にする。特許文献２に記載されたはしごに伴う欠点の一つは、全てのはしご組立部品が使用者により個別に解放される必要があることであり、それは使用者にとってはやや面倒であることが多い。特許文献１又は特許文献２のいずれかのロッキング装置が脚立に使用される場合、さらに別の且つ大きな欠点がある。その理由は、両ロッキング装置は、それらが完全には延長されていなくても又は脚立の一側が脚立の他側よりも多少折り畳まれ又は延長される場合にも、これらのロッキング装置のいずれかを有する脚立を使用可能にするからである。
【０００６】
記載された従来技術解決法の利点をそれらの欠点を持たないで組み合わせ、またはしごが完全に延長されるときだけ、折り畳み式はしご又は脚立を使用できることを確実にする折り畳み式はしご又は脚立用のロッキング装置の提供が要望されている。
【特許文献１】欧州特許第0 527 766-B1号
【特許文献２】欧州特許第1 402 143-B1号明細書
【発明の開示】
【発明が解決しようとする課題】
【０００７】
本発明の目的は、使用者がロッキング装置を無理なく解放し且つ上方はしご組立部品に置かれた単一のロッキング装置によりはしごを自動的に折り畳むが、はしごが完全に延長されたときだけ使用できることを保証することも可能にする、伸縮自在な折り畳み式はしごと脚立用のロッキング装置を提供することである。
【課題を解決するための手段】
【０００８】
この目的は、請求項１の特徴部分に記載された本発明に従って達成される。
【０００９】
本発明のさらなる実施形態では、保持装置は、いずれかの柵部品の保持装置を使用することによりはしごを完全に折り畳むことを可能にする。
【００１０】
本発明のさらなる実施形態では、ロッキング装置は、折り畳み式はしごに含まれる。
【００１１】
本発明の別の実施形態では、ロッキングピン位置は、ロッキングピンが個々のはしご柵から引き抜かれるときは、好ましくは赤で着色した領域により、またロッキングピンがロッキング位置にあるときは、好ましくは緑で着色した別の領域により示される。
【００１２】
本発明のさらに別の実施形態では、ロッキング装置は折り畳み式脚立に含まれる。
【００１３】
以下、本発明は添付の図面を参照して説明される。
【発明を実施するための最良の形態】
【００１４】
図面を簡潔に観察すると分るように、図１，２及び３の間には多くの共通点がある。従って、図１，２及び３に関する一般説明を、本発明の好適な実施形態の説明の前に行う。
【００１５】
図１，２及び３には、はしご柵２，３と段６−１４をそれぞれ具備する折り畳み式はしご１が示されている。段６−１４は、はしご柵２と３との間に置かれ且つそれらを相互接続している。はしご柵２と３は、互いに嵌まり込む組立部品５に分割される（図４ａ−ｂを参照）。右側と左側の柵の組立部品５は、柵の組立部品の頂部に接続される段６−１４と一緒にＵ形のはしご組立部品を形成する。
【００１６】
最下部のはしご組立部品１５は、段７に加えて、追加の足場ともっと安定な最下部はしご組立部品を提供するために設けられた固定段６が底部に適切に設けられる。各段は、押出成形によるアルミニウム・プロファイルから適切に作製される。
【００１７】
段７−１３は各々、シェル２１を具備するロッキング又は保持装置２０と４１（図１−３には図示せず）を各端部に収納している。シェル２１は、例えば圧入によって段のプロファイルに挿入される。最上部はしご組立部品の段１４と、固定の段６には、保持装置２０と４１が無くてもよい。
【００１８】
図１は、頂部段１４に配置されたはしごの折り畳みを開始するためのアクチュエータ３０を有する折り畳み式はしご１の第一実施形態を示している。はしご１はさらに、各段７−１３にはしごロッキング表示器３１を設けられ、ロッキング表示器３１は各々、ロッキング表示器３１と協働するロッキング又は保持装置２０が作動していることを表示する緑色領域とロッキング表示器３１と協働する保持装置２０が作動していないことを表示する赤色領域を有する。図１に示される実施形態の保持装置２０の機能とはしごの操作は、図５−１２と関連して後述される。
【００１９】
図２は、第一実施形態に類似する折り畳み式はしご１の第二実施形態を示しているが、この第二実施形態は段１０に配置されたはしごの折り畳みを開始するための第二のアクチュエータ対３２も含む。この第二のアクチュエータ対３２は、はしご１が完全に延長されており、使用者が頂部段１４に置かれたアクチュエータ３０に到達しはしごを折り畳むことができない場合、最初に使用される。第二のアクチュエータ３２は、第一のアクチュエータ３０が、はしごの上方部分、即ち段１１−１４と結合されるはしご組立部品を折り畳むために使用される以前に、はしごの下方部分、即ち段７−１０と結合されるはしご組立部品を折り畳むための役割を果す。はしご１がさらに長い場合、第三のアクチュエータ対を有することもできるが、そのようなはしごは、形式認証の要求基準を満たさないので考えにくい。図２に示される実施形態の保持装置２０の機能性は、図５−１２と関連して後述される。
【００２０】
第二実施形態を完全に延長したはしご１が図４ａに示されている。
【００２１】
図３は折り畳み式はしご１の第三実施形態を示し、この第三実施形態では、段７に、はしごの折り畳みを開始するためのアクチュエータ４０が配置されている。アクチュエータ４０と、アクチュエータ４０と共に用いられ又はアクチュエータ４０により作動されるロッキング又は保持装置４１（図１４−１６に図示）は、第一と第二実施形態のアクチュエータ３０のようにはしご１が完全に延長されるとき、アクチュエータ４０が設けられたはしご組立部品の下方に配置されたはしご組立部品を折り畳むこと又は折り畳みの開始をすることができるのみならず、アクチュエータ４０が設けられたはしご組立部品の上方に配置されたはしご組立部品を折り畳むこと又は折り畳みの開始をすることもできる。アクチュエータ４０は、段７の下方の折り畳み可能又は折り畳み式のはしご組立部品をなんら有さない段７に置かれると、段７に置かれたアクチュエータ４０は、上方に配置されたはしご組立部品のみを折り畳みできる。
【００２２】
図３のはしご１はさらに、各段７−９と１１−１３に、はしごロッキング表示器４２が設けられ、各ロッキング表示器４２は、ロッキング表示器４２と共に用いられる保持装置が作動されることを表示する緑色領域とロッキング表示器４２と共に用いられる保持装置が作動されないことを表示する赤色領域を有する。図１と２の保持装置と異なる図３に示される実施形態の保持装置の機能性は、図１３−１６と関連して後述される。
【００２３】
段７−１３毎にロッキング表示器４２とアクチュエータ４０を有する、第三実施形態に記載の完全に延長されたはしご１は、図４ｂに示されている。
【００２４】
第一と第二実施形態に使用される保持又はロッキング装置２０が、以下に詳述される。図５では、柵部品５ｃにのみ設けられた保持装置付の三つの柵部品５ａ、５ｂ及び５ｃだけが示されるが、はしごの残部は、明確にするために省かれる。より小さな直径を有する柵部品５ａは、柵部品５ｂに嵌まり込み、また柵部品５ｂは、より大きな直径を有する柵部品５ｃに嵌まり込む。
【００２５】
図６−８では、線Ａ−Ａに沿った柵部品５ａ−５ｃの部分断面図が示される。最下部の柵部品を除く、すべての柵部品５は、その下端部にダンパ２２が設けられる。ダンパ２２は、柵部品が重力により降下されるとはしごの折り畳み速度を低減するための役割を果す。ダンパ２２には傾斜面２３が設けられている。
【００２６】
保持装置２０はロッキングピン２４を具備し、ロッキングピン２４はシェル２１に受容され、シェル２１は段に圧入される。ロッキングピン２４は、移動自在にシェル２１に取り付けられ且つスプリング２５により一端で付勢される。ロッキングピン２４は、ウエスト又は凹所部分２６をロッキングピン２４の中央部分に、またスロット又はスリット２７をロッキングピン２４の前方部分に備える。ウエスト又は凹所２６は、アクチュエータ又はボタン３０、３２（図１０−１２参照）又ははしごロッキング表示器３１を受け入れる役割を果たし、それらは、いずれも、一端にウエスト又は凹所２６に係合する接続部分を有する。
【００２７】
前述のように、はしごロッキング表示器３１と４２は、ロッキング表示器３１と４２と共に用いられる保持装置が作動されることを表示する緑色領域とロッキング表示器３１と４２と共に用いられる保持装置が作動されないことを表示する赤色領域を設けられる。これらの領域は、ロッキング表示器３１と４２の他端に取り付けられたプラスチック又は金属から作製されるプレート上に設けられ、そこではプレートは、接続部分に対し垂直に置かれる。ロッキング表示器はシェル２１に完全に収納されるが、緑色と赤色領域を備えるプレートは、段の前方の凹所２９（図１０−１２参照）を通して目に見える。
【００２８】
ロッキングピン２４が、図６と１０に示される位置、即ち係合又はロッキング位置にあるとき、保持装置２０が作動せしめられ、段又は柵部品が他の柵部品に対し固定されることを維持するように作動していることを表示する緑色領域のみが目に見える。これは一般に、はしごが完全に延長される場合である。ロッキングピン２４が、図８と１２に示される位置、すなわち係合されない又はロッキングされない位置にあるとき、保持装置２０が作動せしめられていないことを表示する赤色領域のみが目に見える。ロッキングピン２４が、図７と１１に示される位置、即ち中間位置にある場合、緑色と赤色領域の両方が目に見え、これは保持装置が完全には作動していないことを示している。図７−８と１１−１２に示される位置では、その段の保持装置２０は、作動しておらず、はしごは完全に折り畳まれようとしているところであって使用されるべきではない。
【００２９】
あるいは、ロッキング表示器３１と４２は、ロッキングピン２４の着色部分として設置することができる。保持装置が作動せしめられるとき凹所２９を通して目に見えるロッキングピン２４の後方部分は（例えば図６、１０及び１４を参照）、緑色で着色されている。保持装置が作動されず且つ退避させられるとき凹所２９を通して目に見えるロッキングピン２４の前方部分は（例えば図８、１２及び１６を参照）、赤色で着色されている。
【００３０】
ロッキングピン２４はさらに、スプリング２５により付勢された端部と反対側の端部に面取りをした端部３３が設けられている。ロッキングピン２４は、柵部品５ｂのロッキング孔３４と協働し、はしごの延長された位置を維持する。
【００３１】
スロット又はスリット２７は、ロッキングピン２４がロッキング孔３４の中に極端に突出しないようにするためのものであり、そのためにワッシャを設けられることがあり、あるいは、スリット２７の作製によりその目的を満たす隆起をロッキングピン上に形成することもある。
【００３２】
図９では、図５においてと同様に柵部品５ｃにのみ設けられた保持装置付の三つの柵部品５a、５ｂ及び５ｃが示され、そこでは柵部品は９０°回転されている。図１０−１２は、線Ａ−Ａに沿って示される柵部品５ａ、５ｂ及び５ｃの部分断面図を示している。アクチュエータ又はボタン３２が受け入れられる、シェル２１の凹所２９が示されている。アクチュエータ又はボタン３２は、凹所２９を通って延びロッキングピン２４上で留まり且つ動かなくなる。ロッキングピン２４を付勢するスプリング２５は、ケーシング２８に受け入れられる。円形であるケーシング２８は、シェル２１上の対応する凹所と協働するフランジをその周縁に有する。
【００３３】
図１０−１２には、アクチュエータ又はボタン３２を設けられている保持装置２０のみが示されているが、アクチュエータ又はボタン３０が設けられた保持装置２０は構造的に同一であることは明白である。二つのタイプの違いは、アクチュエータ又はボタン３０と３２を設けられた保持装置と結合された段を有する柵部品の上方に配置された柵部品の数にある。アクチュエータ３０が図１と２の段１３上に設けられると、一つの柵部品５のみが上方に配置されるが、アクチュエータ３２は、図２の段９上に設けられることにより例示される中間の段上に設けられるので、幾つかの柵部品５をアクチュエータ３２付の柵部品の上方に配置できる。
【００３４】
図１０−１２では、アクチュエータ又はボタンを設けられている保持装置２０のみが示されるが、前述したように、保持装置２０は、はしごロッキング表示器３１を備えている。アクチュエータと同様に、はしごロッキング表示器３１は、凹所を通って延び、ロッキングピン２４上で留まり且つ動かなくなる。
【００３５】
第一と第二実施形態に使用される保持又はロッキング装置２０の機能は、以下に詳述される。
【００３６】
使用者は、ロッキングピン２４を、段１３の前方側に配置されたアクチュエータ又は摺動ボタン３０，３２によって、ロッキング孔３４から引き抜くことにより頂部段１３の保持装置２０を作動しないようにする。段１４と結合され且つ段１３の保持装置２０により適所に保たれる柵部品５は、重力により降下される。図６には、段１４と結合される柵部品５の降下が、解放され、これから、重力により降下する柵部品５ａにより例示されている。柵部品５ａがロッキングピン２４に到達すると、柵部品５ａの底端部に置かれたダンパ２２の傾斜又は面取りをした表面２３は、ロッキングピン２４と協働してロッキングピン２４をシェル２１に押し込む。これは、柵部品５ａが、ロッキングピン２４を通過すること（図７参照）と、保持装置２０とロッキングピン２４により保持される柵部品５ｂのロッキングを作動させないことも可能にする。その理由はロッキングピン２４の面取りをした端部３３のみが柵部品５ｂを適所に維持し且つ柵部品５ｂの重量がロッキングピン２４をシェル２１にさらに押し込むからである（図８参照）。この過程は、下方に配置された柵部品が全て解放され且つはしごが折り畳まれるまで繰り返される。従って、頂部配置された柵部品（ここでは柵部品５ａ）を作動させない保持装置２０が解放され、また頂部配置された柵部品（ここでは柵部品５ａ）が解放し且つすぐ下方に配置された柵部品の保持装置を作動させない場合、このプロセスが、はしご全体が完全に折り畳まれる、即ち図１に示される位置にまで段階的に繰り返される。
【００３７】
第二実施形態によると、はしごの折り畳みは、最初に段８−１１と結合される柵部品５がアクチュエータ３２を作動することにより折り畳み、次に段１２−１４と結合される柵部品５がアクチュエータ３０を作動することにより折り畳む、二段階で実行される。第一実施形態によると、はしご１と段８−１４と結合される柵部品５の折り畳みは、アクチュエータ３０を作動することにより一段階で実行される。
【００３８】
図５及び９と同様に、図１３には、柵部品５ｃにのみ設けられた保持装置付の三つの柵部品５ａ、５ｂ及び５ｃだけが示されるが、はしごの残部は、明確にするために省かれる。より小さな直径を有する柵部品５ａは、柵部品５ｂに嵌まり込み、また柵部品５ｂは、より大きな直径を有する柵部品に嵌まり込む。
【００３９】
図１４−１６は、線Ａ−Ａに沿った柵部品５a−５ｃの部分断面図を示している。保持装置４１は、保持装置４１に接続されたアクチュエータ４０は段の下側の凹所を通って突出するが、保持装置２０に接続されたアクチュエータ３０と３２は段の前方側の凹所を通って突出することで保持装置２０と異なる。
【００４０】
第一実施形態と同様に、最下部の柵部品を除くすべての柵部品５はその下端部にダンパ２２を設けられる。ダンパ２２は、傾斜面２３を備える。
【００４１】
アクチュエータ４０は、回転式ボタンであり、またシェル２１に旋回自在に取り付けられ且つロッキングピン２４のウエスト又は凹所２６の周囲で留まり又は動かなくなるボタン４０の接続部分（フォーク形）を有するスピンドル４５である。大体Ｌ形である回転式ボタン４０は、シェル２１の底部の凹所４３を通って延び、段の下部側面の凹所から外へ突出している。ロッキング位置では、回転式ボタンの脚部の一つが凹所から外へ斜めに突出するが、例えばフォーク形且つ丸い端部を有する他方の脚部は、ロッキングピン２４の凹所部分２６を把持する。保持装置４１の他の構造は、保持装置２０に類似している。
【００４２】
保持装置４１の機能は保持装置２０の機能性に類似している。使用者は、柵部品５ｃと結合される段の下側に配置されたアクチュエータ又は回転式ボタン４０によってロッキングピン２４をロッキング孔３４から引き抜くことにより柵部品５ｃの保持装置４１を作動しないようにする。作動されない解放された柵部品５ｃの上方に配置された段と結合され且つ柵部品５ｃの保持装置４１により適所に保たれた柵部品５ｂとその結合された段は、重力により降下する。図１４では、柵部品５ａは解放され且つ重力により降下されている。柵部品５ａがロッキングピン２４に到達すると、柵部品５ａの底端部に置かれたダンパ２２の傾斜した又は面取りをした表面２３は、ロッキングピン２４と協働してロッキングピン２４をシェル２１に押し込む。これは、柵部品５ａが、ロッキングピン２４を通過すること（図１５参照）と、保持装置４１とロッキングピン２４により保持される柵部品５ｂのロッキングを作動させないことも可能にする。その理由は、ロッキングピン２４の面取りをした端部３３のみが柵部品５ｂを適所に維持し且つ柵部品５ｂの重量がロッキングピン２４をシェル２１にさらに押し込むからである（図１６参照）。この過程は、下方に配置された柵部品が全て解放され且つはしごが折り畳まれるまで繰り返される。
【００４３】
同時に、解放され且つ降下された段と結合される柵部品、即ち最初に解放された柵部品と前述の第三実施形態の最初に解放された柵部品の下方に配置された全ての柵部品の折り畳みに加えて、最初に解放された柵部品の上方に配置された段と結合された柵部品の折り畳みが開始される。最初に解放された柵部品の上方の段と結合された柵部品の折り畳みの開始は、保持装置４１の機能性のためである。解放された柵部品の段が、すぐ下方に配置された柵部品の下方の段に到達すると、下方段により回転式ボタンが上方段の凹所に押し込まれて保持装置４１を解放するとき、上方に配置された柵部品の保持装置４１は解放される。これは、アクチュエータの上方に配置された全ての柵部品が折り畳まれるまで繰り返される。
【００４４】
図１７は、本発明の第一実施形態に記載の折り畳み式はしごの別の形態を示している。はしごは、本発明の第一実施形態に記載のはしごに類似するアクチュエータ３０と３２を設けられるがロッキング表示器３１はない。この別の形態はおそらく、はしごを頻繁に扱い且つその機能性に極めて精通する専門の職業的使用者に好まれることが多い。ロッキング表示器付の第一及び/又は第二実施形態に記載のはしごは、使用者がはしごをそれほど頻繁には使用しない消費市場に向けられることが多い。
【００４５】
図１８は、本発明の第三実施形態に記載の折り畳み式はしごの別の形態を示している。はしごは、本発明の第三実施形態に記載のはしごに類似するアクチュエータ４０を設けられるが、ロッキング表示器４１はない。この別の形態はおそらく、はしごを頻繁に扱い且つその機能性に極めて精通する専門の職業的使用者に好まれることが多い。ロッキング表示器付の第一又は第二実施形態に記載のはしごは、使用者がはしごをそれほど頻繁には使用しない消費市場に向けられることが多い。
【００４６】
面取りをした面が、二つの隣接するはしご柵の間の距離とはしご柵の厚さを合せた程度の長さを超える、ロッキングピンの端部から面取りをした面の端部までの深さを有することが重要である。これに加えて、安全幅がいずれかの公差を適合させるために必要とされる。この面取りをした面の合せた程度の長さは、ダンパの面取りをした面がはしご組立部品の解放の第一段階においてロッキングピンを退避させた後に、ロッキング装置が機能し且つロッキングピンをさらに退避させるために重要である。
【００４７】
以前の解決法では、折り畳み式はしごの一部に、丸い端部を有するロッキングピンを設けられるが、丸い端部は、ロッキングピンがスプリングによって柵の内表面に接触して摺動するような軟質面としての役割を果す。丸い端部は、柵の内表面に接触してロッキングピンの滑らかな摺動を可能にする課題を解決する。
【００４８】
段の下側又は前方に置かれている保持装置を作動させないアクチュエータが示されてきたが、他の解決法も可能であることは明らかである。例えば、アクチュエータは、アクチュエータが最上部保持装置を作動できないようにしてはしごの折り畳みを可能にする連結アーム又は連結アーム系へ各アクチュエータが接続される最上部段１４と結合された柵部品の頂部側に置くことができる。別の解決法では、場合によっては、アクチュエータを柵部品の外部側面上、各アクチュエータが、ある種の装置を介して再び最上部保持装置に接続されてアクチュエータによるはしごの折り畳みを可能にしている、少なくとも最上部柵部品上に置くことがある。
【００４９】
詳細な実施形態又は図面により示されなかったが、請求の範囲に記載されたロッキング装置が、脚立に使用できることは明らかである。折り畳み式脚立は、第一と第二はしご脚部を具備する。脚部は、互いに一端でちょうつがい式に接続され、そこでは、はしご脚部の各々は、図１−４ｂに示されるはしごと同じような別々の折り畳み式はしごとして見なすことができる。
【００５０】
請求の範囲に記載の本発明は、請求の範囲に記載されたロッキング装置を設けられる脚立が、はしご脚部の両方が完全に延長されるときだけ使用できることを保証する。いずれかのはしご組立部品又ははしご脚部のいずれかのロッキング装置が解放され又は作動されない場合、はしご脚部の全てのはしご組立部品は、請求の範囲に記載された本発明によって全体的に折り畳み又は折り重なる。
【００５１】
本発明は、前述され且つ図面に示される実施形態に限定されないが、同封の請求項により規定される本発明の要旨の範囲のいずれかの方法で補足でき且つ改良できる。
【図面の簡単な説明】
【００５２】
【図１】図１は、本発明の第一実施形態に記載の最大限に折り畳まれたはしごの正面図である。
【図２】図２は、本発明の第二実施形態に記載の最大限に折り畳まれたはしごの正面図である。
【図３】図３は、本発明の第三実施形態に記載の最大限に折り畳まれたはしごの正面図である。
【図４ａ】図４ａは、本発明の第三実施形態に記載の延長されたはしごの正面図である。
【図４ｂ】図４ｂは、本発明の第二実施形態に記載の延長されたはしごの正面図である。
【図５】図５は、本発明の第一及び/又は第二実施形態に記載のロッキング装置の一例を示している。
【図６】図６は、本発明の第一及び/又は第二実施形態に記載のロッキング装置の一例を示している。
【図７】図７は、本発明の第一及び/又は第二実施形態に記載のロッキング装置の一例を示している。
【図８】図８は、本発明の第一及び/又は第二実施形態に記載のロッキング装置の一例を示している。
【図９】図９は、本発明の第一及び/又は第二実施形態に記載のロッキング装置の一例を示している。
【図１０】図１０は、本発明の第一及び/又は第二実施形態に記載のロッキング装置の一例を示している。
【図１１】図１１は、本発明の第一及び/又は第二実施形態に記載のロッキング装置の一例を示している。
【図１２】図１２は、本発明の第一及び/又は第二実施形態に記載のロッキング装置の一例を示している。
【図１３】図１３は、本発明の第三実施形態に記載のロッキング装置の一例を示している。
【図１４】図１４は、本発明の第三実施形態に記載のロッキング装置の一例を示している。
【図１５】図１５は、本発明の第三実施形態に記載のロッキング装置の一例を示している。
【図１６】図１６は、本発明の第三実施形態に記載のロッキング装置の一例を示している。
【図１７】図１７は、本発明の第一と第三実施形態に記載の折り畳み式はしごの別の形態を示している。
【図１８】図１８は、本発明の第一と第三実施形態に記載の折り畳み式はしごの別の形態を示している。
【図１】
2008542593.tif 000003
【図２】
2008542593.tif 000004
【図３】
2008542593.tif 000005
【図４ａ】
2008542593.tif 000006
【図４ｂ】
2008542593.tif 000007
【図５】
2008542593.tif 000008
【図６】
2008542593.tif 000009
【図７】
2008542593.tif 000010
【図８】
2008542593.tif 000011
【図９】
2008542593.tif 000012
【図１０】
2008542593.tif 000013
【図１１】
2008542593.tif 000014
【図１２】
2008542593.tif 000015
【図１３】
2008542593.tif 000016
【図１４】
2008542593.tif 000017
【図１５】
2008542593.tif 000018
【図１６】
2008542593.tif 000019
【図１７】
2008542593.tif 000020
【図１８】
2008542593.tif 000021
【国際調査報告】
2008542593.tif 000022
2008542593.tif 000023